(57)【要約】【課題】極めて簡単な構造で組立て、分解及び折り畳みが容易に可能で、且つ耐久性に優れるとともに携帯性及び保管性に優れ、安価に生産可能なかつらスタンドを提供すること。【解決手段】切込み部１２０、係合片１３２〜１３８、係合つめ片受け部１４２，１４４及び折り曲げ部１６０が形成された支柱片１００と、切欠き部２２２，２２４、係合片受け部２３２〜２３８、係合つめ片２４２，２４４及び折り曲げ部２６０が形成された支柱片２００を具備し、切欠き部を切込み部に嵌め込み係合させるとともに、係合片を係合片受け部に係合させ且つ係合つめ片を係合つめ片受け部に係合させることにより組立てられるよう構成し、また支柱片を折り曲げ部が合致するよう重ね合せて折り曲げ部を介して支柱片が折り曲げ自在となるよう構成した。【選択図】  図１
0003209117.tif 000002
【実用新案登録請求の範囲】
【請求項１】
１枚の反発性を有する樹脂板からなり、垂直方向の中心線に関し略左右線対称の形状であり当該中心線上に位置するように上部近傍から下部近傍にかけて切込み部が形成されるとともに当該切込み部に対して水平方向へ指向する係合片を設け、上記上部の外周縁部は湾曲状に形成されるとともに上記下部には脚片部が形成され、当該下部の下端部から上方の所定位置に折り曲げ自在となるよう折り線が水平方向に形成された折り曲げ部が設けられた第一の支柱片と、
１枚の反発性を有する樹脂板からなり、垂直方向の中心線に関し略左右線対称の形状であり当該中心線上に位置するように上記係合片が着脱自在に係合する係合片受け部を設け、上部の外周縁部は湾曲状に形成されるとともに下部には脚片部が形成され、上記中心線上に位置するように上記上部の中央部位には上記切込み部の上部に嵌め込み係合する上部切欠き部が形成され、上記中心線上に位置するように上記下部の中央部位には上記切込み部の下部に嵌め込み係合する下部切欠き部が形成され、上記第一の支柱片と同様に下端部から上方の所定位置に折り曲げ自在となるよう折り線が水平方向に形成された折り曲げ部が設けられた第二の支柱片とを具備するものであって、
上記上部切欠き部を上記切込み部の上部に嵌め込み係合させるとともに、上記下部切欠き部を上記切込み部の下部に嵌め込み係合させ、上記係合片を上記係合片受け部に係合させることにより組立てられるよう構成し、
また、上記第一の支柱片と上記第二の支柱片を重ね合せると夫々の上記折り曲げ部が合致し、当該折り曲げ部を介して当該第一の支柱片と当該第二の支柱片が折り曲げ自在となるよう構成したことを特徴とするかつらスタンド。
【請求項２】
上記第一の支柱片と上記第二の支柱片を重ね合わせて夫々の上記折り曲げ部を介して折り曲げた際、この折り曲げ状態を保持するための保持機構部を当該第一の支柱片または第二の支柱片の少なくとも一方に設けたことを特徴とする請求項１記載のかつらスタンド。
【請求項３】
上記第一の支柱片または上記第二の支柱片の少なくとも一方の支柱片には、垂直方向の中心線上に垂直方向から水平方向の間にて回動自在に折り曲げ可能な係合つめ片が形成され、
組立て時、この係合つめ片が水平方向に回動自在に折り曲げられて嵌め込み係合する係合つめ片受け部を他方の支柱片の垂直方向の中心線近傍に形成したことを特徴とする請求項１または請求項２記載のかつらスタンド。
【請求項４】
上記係合つめ片には切欠き部が形成され、上記係合つめ片受け部にはこの切欠き部が嵌め込まれて係合する切欠き受け部が形成されたことを特徴とする請求項３記載のかつらスタンド。
【請求項５】
上記第一の支柱片及び上記第二の支柱片に設けられた折り曲げ部の折り線は、各垂直方向の中心線から一方に設けられたものはｎ本（ｎは自然数）で、他方に設けられたものはｎ本以上となるよう構成したことを特徴とする請求項１、請求項２、請求項３または請求項４記載のかつらスタンド。
【考案の詳細な説明】
【技術分野】
【０００１】
本考案は、組立て・分解及び折り畳みが容易なかつらスタンド、特に簡単な構造で耐久性に優れる組立て・分解及び折り畳みが容易で携帯性に優れるかつらスタンドに関する。
【背景技術】
【０００２】
従来、かつらを載置する器具としては、例えば胸像や首像のマネキンがあり、その頭部にかつらを載置するものであった。このものは、特定の場所での展示を主目的とするものであり、形状及び重量も大きく、取扱いを工夫する必要があった。また、一般家庭で用いるには不向きであった。
【０００３】
下記特許文献１には、所定の柱状の形状に組立て可能な本体部と、この本体部の所定の部位に係止されるフランジ部とから構成される紙或いは合成樹脂により成形されたかつら載置用スタンドが開示されている。また、組立て時に少なくとも截頭６角錐になるように少なくとも６本の折り目が形成されており、この折り目により区画される各片のいずれかの片に、組立て時に截頭６角錐に係止し保持させるための保持機構を有するように構成された合成樹脂により成形されたかつら載置用スタンドが開示されている。特許文献１に開示されたかつら載置用スタンドは、マネキン型のものに比べれば、かつらを展示する際のスペースをとらず、搬送・携帯の面では便利ではある。
【０００４】
下記特許文献２には、１枚の反発性を有する樹脂板からなるシートに平行関係にある折り目をｎ個（但しｎ≧５であり、同一直線上または同一直線近傍に位置する折り目は１個とカウントする）形成することにより設けられるｎ＋１個の支柱部と、折り目上に接続機構とを設け、シートの両端に位置する支柱部同士は接続機構を介して接続することにより２枚重ねの状態になり、両端以外の隣接する支柱部同士は接続機構を介して接続することにより２枚重ねの状態になるように構成したかつらスタンドが開示されている。特許文献２に開示されたかつらスタンドは、反発性を有する樹脂シートの厚みを増すことなく強度を確保しつつ安定してかつらを載置でき、組立及び分解が容易となることを意図したものである。
【０００５】
下記特許文献３には、内側中央部分に形成されたウィッグ受け部と、ウィッグ受け部の両端部にて一体的となるよう形成されウィッグ受け部を囲繞するよう設けられた台座部とを具備する１枚の反発性を有する板状のシートであって、台座部にはウィッグ受け部と一体的に形成された部位とは異なる部位に接続機構が設けられ、この接続機構が接続状態にあるときはウィッグ受け部を上方に指向するよう湾曲するように構成したかつらスタンドが開示されている。特許文献３に開示されたかつらスタンドは、反発性を有する板状のシートの厚みを増すことなく強度を確保し、安定してかつらを載置できるとともに、簡単な構造で組立て及び分解が容易で携帯性及び耐久性に優れ、通気性にも優れて毛髪の巻込み防止をも図ることを意図したものである。
【０００６】
下記特許文献４には、組立て時に角錐台状になる反発性を有する樹脂板からなるシートであって、シートに角錐台の角数に対応して形成される複数の折り目部と、折り目部により区画され角錐台の側面を形成する複数の片部と、シート両端部に位置する片部に設けられ組立て時に当該片部同士が重なるよう保持する第一の保持機構部と、片部の長手方向の略中央部位に形成される折り曲げ機構部とを設け、複数の片部はその幅が一方から他方に向かうに従って順に広くまたは狭くなるよう形成した構成のかつらスタンドが開示されている。特許文献４に開示されたかつらスタンドは、簡単な構造でコンパクトであり、持ち運びに便利であるとともにかつらの形態を崩さずに安定してかつらを載置でき、且つ衛生面でも優れるというものである。
【０００７】
下記特許文献５には、上部が曲線状に形成され下部に水平方向に指向する脚片部が形成された支柱片同士を組合せることにより、上部には略半円形状または半楕円状を成すかつら受け部が形成されるとともに、下部には脚片部から成る水平方向に指向する複数の脚部が形成されて組立てられるスタンドが開示されている。特許文献５に開示されたかつらスタンドは、極めて簡単な構造で組立て及び分解が容易で且つ丈夫で取扱い性にも優れる安価に生産可能としたことを特徴とするものである。
【０００８】
下記特許文献６には、かつら等を展示のためにかつら等を保持するかつら保持器を、比較的軽くて硬い紙、アクリルまたはプラスティック等の軽量の部材で構成し、それらの部材の形状を平面として部材を互いに挿入し組立てることによりかつら保持器となるようにし、かつら保持器を使用しない際には必要とする容積を少なくするようにした可搬型かつら展示器具が開示されている。特許文献６に開示されたものは、収納と運搬を経済的にしたことを特徴とするものである。
【０００９】
下記特許文献７には、紙或いはプラスティック等の軽量の部材を使用し、且つかつらを保持する形状として型紙を組合せた形で構成し、人頭形、球状、半球状及び円筒状等開いた状態での水平の断面が円形状になる構造を採用した携帯型かつら保持器が開示されている。特許文献７に開示されたものは、保持器を使用しない場合は型紙を一方向より押し込むことにより、保持器全体が容易に折り畳まれることを可能にして、必要とする容積を最小化し持ち運びを容易にしたことを特徴とするものである。
【００１０】
下記特許文献８には、一方向へ指向する係合片及び安定部材受け部並びに脚片部が形成された支柱片と、係合片とは反対方向へ指向する係合片受け部及び安定部材受け部並びに脚片部が形成された支柱片と、安定部材受け部に着脱自在に嵌合する嵌合機構部を設けた安定部材とを具備するものであって、支柱片を夫々の中心線に関し略直角に折り曲げた状態で係合片を係合片受け部に嵌め込み係合させ、嵌合機構部を安定部材受け部に嵌合させることにより安定部材を支柱片に装着して組立てるよう構成したかつらスタンドが開示されている。特許文献８に開示されたものは、極めて簡単な構造で組立て及び分解が容易で、且つ丈夫で取扱い性にも優れ、安価に生産可能としたことを特徴とするものである。
【先行技術文献】
【特許文献】
【００１１】
【特許文献１】特許第５０１４５３８号公報
【特許文献２】特開第５８３５６０５号公報
【特許文献３】実用新案登録第３１８２１５１号公報
【特許文献４】実用新案登録第３１８７２２４号公報
【特許文献５】実用新案登録第３１９６９７３号公報
【特許文献６】実用新案登録第３１６１０５４号公報
【特許文献７】実用新案登録第３１６６６２６号公報
【特許文献８】実用新案登録第３２０５７５３号公報
【考案の開示】
【考案が解決しようとする課題】
【００１２】
上述したように従来のかつらを載置する器具は、例えばマネキン式の場合は、形状及び重量も大きく、取扱性や持ち運びの面で問題がある。しかも、高価でもあり、一般家庭で用いるには不向きであった。
【００１３】
特許文献１に開示されたかつら載置用スタンドは、反発性を有する素材を用いるため、各折り目に沿って各片を順に折り曲げていくと、反発力を内包したまま脹らみを有する折り畳み状態になるものである。この折り畳み時のかつら載置用スタンドの大きさは、片の長手方向の長さ及び短手方向の長さ並びに重なり合った片の厚みとなる。このような構造では、設計上及び製造上の自由度が制約されてしまい、種々のバリエーションを生み難く、また取扱い性にも難があるものである。
【００１４】
特許文献２に開示されたかつらスタンドは、しっかりとした構造ではあるが、１枚の反発性を有する樹脂シートを重ね合せるので、やや複雑な構造を呈するものである。
【００１５】
特許文献３に開示されたかつらスタンドは、反発性を有する板状のシートの厚みを増すことなく強度を確保し、安定してかつらを載置できるが、特殊な構造を呈しているものである。
【００１６】
特許文献４に開示されたかつらスタンドは、コンパクトで持ち運びに便利ではあるが、特殊な構造を呈しているものである。
【００１７】
特許文献５に開示されたかつらスタンドは、簡単な構造で組立て及び分解が容易で、且つ丈夫なかつらスタンドである。しかしながら、このものにあっては、支柱片の折り目上に設けられる係合片や係合片受け部の一つは、折り目から左に指向するよう設けられるとともに、他方の係合片や係合片受け部は反対方向の左に指向するよう設けられるようバランスよく構成する必要があるものである。
【００１８】
特許文献６及び特許文献７に開示されたものは、切込みに部材を互いに挿入し切込み同士に生じる圧力を利用しており、耐久性上、使用素材を考慮する必要があるものである。
【００１９】
特許文献８に開示されたかつらスタンドは、極めて簡単な構造で組立て及び分解が容易で、耐久性及び取扱い性にも優れるが、スタンドの大きさはその高さと横幅で決められてしまうものである。
【００２０】
近時、さらに簡単な構造で且つ軽くて取扱い性に優れるとともに、携帯性及び保管性に優れるコンパクトなかつらスタンドの提供が要望され続けている。しかしながら、その要望を充分満たすようなものは試行錯誤の状況であるのが実情である。特に、コンパクトな機能を兼ね備えたものが存在しないのが実情である。
【００２１】
本考案は上記事情を考慮してなされたもので、上述の不具合を解消し、極めて簡単な構造で組立て・分解及び折り畳みが容易に可能で、且つ耐久性に優れるとともに、携帯性及び保管性に優れるかつらスタンドを提供することを目的とする。
また、本考案は、取扱い性にも優れ、安価に生産することが可能なかつらスタンドを提供することを目的とする。
【課題を解決するための手段】
【００２２】
本考案は、上記目的を達成するために以下の通りの構成とすることを特徴とする。
【００２３】
（１）  １枚の反発性を有する樹脂板からなり、垂直方向の中心線に関し略左右線対称の形状であり当該中心線上に位置するように上部近傍から下部近傍にかけて切込み部が形成されるとともに当該切込み部に対して水平方向へ指向する係合片を設け、上記上部の外周縁部は湾曲状に形成されるとともに上記下部には脚片部が形成され、当該下部の下端部から上方の所定位置に折り曲げ自在となるよう折り線が水平方向に形成された折り曲げ部が設けられた第一の支柱片と、
１枚の反発性を有する樹脂板からなり、垂直方向の中心線に関し略左右線対称の形状であり当該中心線上に位置するように上記係合片が着脱自在に係合する係合片受け部を設け、上部の外周縁部は湾曲状に形成されるとともに下部には脚片部が形成され、上記中心線上に位置するように上記上部の中央部位には上記切込み部の上部に嵌め込み係合する上部切欠き部が形成され、上記中心線上に位置するように上記下部の中央部位には上記切込み部の下部に嵌め込み係合する下部切欠き部が形成され、上記第一の支柱片と同様に下端部から上方の所定位置に折り曲げ自在となるよう折り線が水平方向に形成された折り曲げ部が設けられた第二の支柱片とを具備するものであって、
上記上部切欠き部を上記切込み部の上部に嵌め込み係合させるとともに、上記下部切欠き部を上記切込み部の下部に嵌め込み係合させ、上記係合片を上記係合片受け部に係合させることにより組立てられるよう構成し、
また、上記第一の支柱片と上記第二の支柱片を重ね合せると夫々の上記折り曲げ部が合致し、当該折り曲げ部を介して当該第一の支柱片と当該第二の支柱片が折り曲げ自在となるよう構成したことを特徴とする。
【００２４】
（２）  上記（１）の構成にあって、上記第一の支柱片と上記第二の支柱片を重ね合わせて夫々の上記折り曲げ部を介して折り曲げた際、この折り曲げ状態を保持するための保持機構部を当該第一の支柱片または第二の支柱片の少なくとも一方に設けた構成としたことを特徴とする。
【００２５】
（３）  上記（１）または（２）の構成にあって、上記第一の支柱片または上記第二の支柱片の少なくとも一方の支柱片には、垂直方向の中心線上に垂直方向から水平方向の間にて回動自在に折り曲げ可能な係合つめ片が形成され、組立て時、この係合つめ片が水平方向に回動自在に折り曲げられて嵌め込み係合する係合つめ片受け部を他方の支柱片の垂直方向の中心線近傍に形成するよう構成したことを特徴とする。
【００２６】
（４）  上記（３）の構成にあって、上記係合つめ片には切欠き部が形成され、上記係合つめ片受け部にはこの切欠き部が嵌め込まれて係合する切欠き受け部が形成されるよう構成したことを特徴とする。
【００２７】
（５）  上記（１）、（２）、（３）または（４）の構成にあって、上記第一の支柱片及び上記第二の支柱片に設けられた折り曲げ部の折り線は、各垂直方向の中心線から一方に設けられたものはｎ本（ｎは自然数）で、他方に設けられたものはｎ本以上となるよう構成したことを特徴とする。
【００２８】
上記構成によれば、極めてシンプルな構造で組立て、分解及び折り畳みが容易に可能で、且つ耐久性に優れるとともに、携帯性及び保管性に優れるかつらスタンドを提供することができるものである。
また、上記構成によれば、シンプルな構造ゆえ取扱い性にも優れ、経済的にも安価に生産可能なかつらスタンドを提供することができるものである。
【００２９】
さらに、上記構成によれば、組立て時、かつらの形態を崩さずに安定してかつらを載置できるとともに、通気性もよく衛生面でも優れるものである。加えて、携帯性にも優れるものである。
【考案の効果】
【００３０】
本考案によれば、極めて簡単な構造で組立て、分解及び折り畳みが容易に可能で、且つ耐久性に優れるとともに、携帯性及び保管性に優れるかつらスタンドを提供できるという効果を奏する。
また、本考案によれば、取扱い性にも優れ、安価に生産することが可能なかつらスタンドを提供できるという実用的効果を奏する。
【図面の簡単な説明】
【００３１】
【図１】本考案の第１の実施形態に係わるかつらスタンドの組立て前の分解状態の支柱片の平面図である。
【図２】同実施形態に係わり、組立て後のかつらスタンドを側面方向からみた図である。
【図３】同実施形態に係わり、組立て後のかつらスタンドを側面方向からの参考図である。
【図４】同実施形態に係わり、かつらスタンドの組立て後の斜視図である。
【図５】同実施形態に係わり、かつらスタンドの組立て後の参考斜視図である。
【図６】同実施形態に係わり、折り曲げ途中の状態のかつらスタンドを示す図である。
【図７】同実施形態に係わり、かつらスタンドを二つ折りにした状態を示す図である。
【図８】本考案の第２の実施形態に係わるかつらスタンドの組立て前の分解状態の支柱片の平面図である。
【図９】同実施形態に係わり、組立て後のかつらスタンドを側面方向からみた図である。
【図１０】同実施形態に係わり、組立て後のかつらスタンドを側面方向からの参考図である。
【図１１】同実施形態に係わり、かつらスタンドの組立て後の斜視図である。
【図１２】同実施形態に係わり、かつらスタンドの組立て後の参考斜視図である。
【図１３】同実施形態に係わり、折り曲げ途中の状態のかつらスタンドを示す図である。
【図１４】同実施形態に係わり、かつらスタンドを二つ折りにした状態を示す図である。
【図１５】本考案の第３の実施形態に係わるかつらスタンドの組立て前の分解状態の支柱片の平面図である。
【図１６】同実施形態に係わり、組立て後のかつらスタンドを側面方向からみた図である。
【図１７】同実施形態に係わり、組立て後のかつらスタンドを側面方向からの参考図である。
【図１８】同実施形態に係わり、かつらスタンドの組立て後の斜視図である。
【図１９】同実施形態に係わり、かつらスタンドの組立て後の参考斜視図である。
【図２０】同実施形態に係わり、折り曲げ途中の状態のかつらスタンドを示す図である。
【図２１】同実施形態に係わり、かつらスタンドを三つ折りにした状態を示す図である。
【考案を実施するための形態】
【００３２】
以下本考案の実施形態につき、図を参照して説明する。
【００３３】
（第１の実施形態）
第１の実施形態に係わるかつらスタンド１０は、図１乃至図７に示すように、例えば厚さ１．０ｍｍ程度の反発性を有し折り曲げると強度が増す性質を有するポリプロピレン（ＰＰ）製の高さＨ（底辺部１００ｄ，２００ｄから垂直方向へ最上端部までの高さ）の２枚の支柱片１００，２００同士をクロスさせるように組合せることにより、組立てられるものである。本実施形態では、支柱片１００，２００の厚さを１．０ｍｍ程度にしてあるが、これに限定されることなく厚さを０．６ｍｍ、０．８ｍｍ或いは１．２ｍｍ程度といったように適宜変更してもよいことは勿論である。
【００３４】
支柱片１００（第一の支柱片）は中心線Ａ−Ａに対して線対称の形状であり、その上部１００aは緩やかな湾曲状（略半円形状または半楕円状）に形成され、中央部１００ｂの近傍は他の部位に比べて幅が狭くくびれ状に形成され、下部１００ｃには外方へ指向する脚片部１１０，１１０が形成されている。また、支柱片１００の中央部位（図１中、中心線Ａ−Ａ上）の上部近傍から下部近傍にかけては、上端部１２０ａ及び下端部１２０ｂを有する切込み部１２０が形成されている。
【００３５】
而して切込み部１２０には、係合片１３２，１３４，１３６，１３８が設けられている。図１中、中心線Ａ−Ａに対して係合片１３２は右方向へ指向するように、係合片１３４は左方向へ指向するように、係合片１３６は右方向へ指向するように、そして係合片１３８は左方向へ指向するように設けられている。
【００３６】
また、切込み部１２０には、その上部側に上部係合つめ片受け部（係合つめ片受け部）１４２が設けられており、その下部側に下部係合つめ片受け部（係合つめ片受け部）１４４が設けられている。ここで、上部係合つめ片受け部１４２は、中心線Ａ−Ａ（図１参照）に対して左方向に略１／４円形状を呈するよう形成されおり、また係合保持部１４２ａ（切欠き受け部）及び凹部１４２ｂを設けている。他方、下部係合つめ片受け部１４４は、中心線Ａ−Ａ（図１参照）に対して右方向に略１／４円形状を呈するよう形成されおり、また係合保持部（切欠き受け部）１４４ａ及び凹部１４４ｂを設けている。
【００３７】
さらに、切込み部１２０には、半円形状の半円状切欠き部１５２，１５４と略円形状の円形状切欠き部１５６が形成されている。即ち、半円状切欠き部１５２は、上部係合つめ片受け部１４２の近傍に反対方向（図１中、中心線Ａ−Ａの右方向）に指向するよう形成されている。また、半円状切欠き部１５４は、下部係合つめ片受け部１４４の近傍に反対方向（図１中、中心線Ａ−Ａの左方向）に指向するよう形成されている。そして、円形状切欠き部１５６は、中央部１００ｂの中心近傍に穿設された二つの半円から成るよう形成されている。円形状切欠き部１５６は、後述する支柱片１００の折り畳み時に発生する反発力を軽減するよう機能するものである。
【００３８】
ところで、支柱片１００の中央部１００ｂには、即ち支柱片１００の底辺部１００ｄから上方へ１／２Ｈの位置には、支柱片１００を二つ折り可能となるよう折り曲げ部１６０が水平方向に設けられている。折り曲げ部１６０は、円形状切欠き部１５６を中央に配すよう設けられており、支柱片１００の図１中左側に位置する３本の折り曲げガイド線（折り線）を有する左側折り曲げ部１６２と、図１中右側に位置する４本の折り曲げガイド線（折り線）を有する右側折り曲げ部１６４から構成されている。
ここで、円滑な折り曲げを可能とするために、折り曲げガイド線の数については、一方のガイド線の数をｎ（自然数）とすると、他方のガイド線の数はｎ以上とすることが好ましい。
より好ましくは、一方のガイド線の数をｎとし、他方のガイド線の数はｎ＋１以上とすると、さらに円滑な折り曲げが可能となるものである。
また、ガイド線の数を両方とも等しくｎにした場合、例えば一方の線の間隔を他方の線の間隔より広くとることにより、円滑な折り曲げが可能となるものである。
【００３９】
他方の支柱片（第二の支柱片）２００はその外周形状及び大きさは支柱片１００と略同じであり、中心線Ｂ−Ｂに対して線対称の形状で、その上部２００aは緩やかな湾曲状（略半円形状または半楕円状）に形成され、中央部２００ｂの近傍は他の部位に比べて幅が狭くくびれ状に形成され、下部２００ｃには外方へ指向する脚片部２１０，２１０が形成されている。ここで、支柱片２００の中央部位（図１中、中心線Ｂ−Ｂ上）の上部には、下方へ指向するよう下端部２２２ａを有する切欠き部２２２が形成されている。また、支柱片２００の中央部位（図１中、中心線Ｂ−Ｂ上）の下部には、上方へ指向するよう上端部２２４ａを有する切欠き部２２４が形成されている。
【００４０】
而して支柱片２００の中心線Ｂ−Ｂ上には、係合片受け部２３２，２３４，２３６，２３８が形成されている。即ち、係合片１３２が着脱自在に挿し込み可能な係合片受け部２３２が形成され、係合片１３４が着脱自在に挿し込み可能な係合片受け部２３４が形成され、係合片１３６が着脱自在に挿し込み可能な係合片受け部２３６が形成され、そして係合片１３８が着脱自在に挿し込み可能な係合片受け部２３８が形成されている。
【００４１】
また、支柱片２００の中心線Ｂ−Ｂ上には、上部係合つめ片受け部１４２に嵌め込まれて係合する半円状の上部係合つめ片（係合つめ片）２４２が形成されている。上部係合つめ片２４２は、その外周縁部に係合切欠き部（切欠き部）２４２ａが形成されるとともに、その下端部２４２ｂを基線に垂直方向に回動自在となるよう構成されている。そして、かつらスタンド１０の組立て完成時、上部係合つめ片受け部１４２の周縁部に対して係合切欠き部２４２ａを摺動するようにして水平状態にすると、係合保持部１４２ａに係合して保持状態となるよう構成されている。
【００４２】
ここで、上部係合つめ片２４２には中央部位にホック機構（保持機構部）を形成する上部ホック２５２が設けられており、係合切欠き部２４２ａが係合保持部１４２ａに係合して保持状態になると、上部ホック２５２は凹部１４２ｂ内に位置するよう構成されている。また、上部ホック２５２は、半円状切欠き部１５２と略同じ高さに位置するものである。
【００４３】
さらに、支柱片２００の中心線Ｂ−Ｂ上には、下部係合つめ片受け部１４４に嵌め込まれて係合する半円状の下部係合つめ片（係合つめ片）２４４が形成されている。下部係合つめ片２４４は、その外周縁部に係合切欠き部（切欠き部）２４４ａが形成されるとともに、その下端部２４４ｂを基線に垂直方向に回動自在となるよう構成されている。そして、かつらスタンド１０組立て完成時、下部係合つめ片受け部１４４の周縁部に対して係合切欠き部２４４ａを摺動するようにして水平状態にすると、係合保持部１４４ａに係合して保持状態となるよう構成されている。
【００４４】
ここで、下部係合つめ片２４４には中央部位にホック機構（保持機構部）を形成する上部ホック２５２に嵌め込み係合する下部ホック２５４が設けられており、係合切欠き部２４４ａが合保持部１４４ａに係合して保持状態になると、下部ホック２５４は凹部１４４ｂ内に位置するよう構成されている。また、下部ホック２５４は、半円状切欠き部１５４と略同じ高さに位置するものである。
【００４５】
また、支柱片２００の中心線Ｂ−Ｂ上の中央部位には、円形状切欠き部２５６が形成されている。即ち、円形状切欠き部２５６は、中央部２００ｂの中心近傍に穿設された二つの半円から成るよう形成されており、円形状切欠き部１５６と略同じ高さに位置するものである。また、円形状切欠き部２５６は、後述する支柱片２００の折り畳み時に発生する反発力を軽減するよう機能するものである。
【００４６】
ところで、支柱片２００の中央部２００ｂには、即ち支柱片２００の底辺部２００ｄから上方へ１／２Ｈの位置には、支柱片２００を二つ折り可能となるよう折り曲げ部２６０が水平方向に設けられている。折り曲げ部２６０は、円形状切欠き部２５６を中央に配すよう設けられており、支柱片２００の図１中右側に位置する３本の折り曲げガイド線（折り線）を有する右側折り曲げ部２６２と、図１中左側に位置する４本の折り曲げガイド線（折り線）を有する左側折り曲げ部２６４から構成されている。
ここで、円滑な折り曲げを可能とするために、折り曲げガイド線の数については、一方のガイド線の数をｎ（自然数）とすると、他方のガイド線の数はｎ以上とすることが好ましい。
より好ましくは、一方のガイド線の数をｎとし、他方のガイド線の数はｎ＋１以上とすると、さらに円滑な折り曲げが可能となるものである。
また、ガイド線の数を両方とも等しくｎにした場合、例えば一方の線の間隔を他方の線の間隔より広くとることにより、円滑な折り曲げが可能となるものである。
【００４７】
上記構成につき、その作用を以下に説明する。
【００４８】
かつらスタンド１０の組立ては、先ず、支柱片２００を支柱片１００の切込み部１２０に対してクロスするように挿入し、切欠き部２２２の下端部２２２ａを切込み部１２０の上端部１２０ａに、切欠き部２２４の上端部２２４ａを切込み部１２０の下端部１２０ｂに当接させるよう嵌め込むようにして係合させる。
【００４９】
次に、係合片１３２を係合片受け部２３２に、係合片１３４を係合片受け部２３４に、係合片１３６を係合片受け部２３６に、そして係合片１３８を係合片受け部２３８に挿し込み係合させる。
【００５０】
続いて、係合切欠き部２４２ａを係合つめ片受け部１４２の周縁部に対して摺動するようにして上部係合つめ片２４２を水平状態にして係合切欠き部２４２ａを係合保持部１４２ａに係合させると、水平状態に保持される。また、係合切欠き部２４４ａを係合つめ片受け部１４４の周縁部に対して摺動するようにして下部係合つめ片２４４を水平状態にして係合切欠き部２４４ａを係合保持部１４４ａに係合させると、水平状態に保持される。この状態にあっては、上部ホック２５２は凹部内１４２ｂに、下部ホック２５４は凹部１４４ｂ内に位置することになる。
【００５１】
斯様にして上部がかつら受け部１０ａで、下部が脚部１０ｂとなるかつらスタンド１０が組立てられることになる。かつらスタンド１０は、係合片１３２，１３４，１３６，１３８と係合片受け部２３２，２３４，２３６，２３８との係合状態に加えて、上部係合つめ片２４２と上部係合つめ片受け部１４２及び下部係合つめ片２４４と下部係合つめ片受け部１４４とが係合して保持状態にあるので、従来の組み立て式のかつらスタンドに比べてより強固に安定した状態を保持できるよう機能するものである。
【００５２】
組立てられたかつらスタンド１０を折り畳んで二つ折りにするためには、先ず、係合切欠き部２４２ａを係合保持部１４２ａとの係合状態を解除して上部係合つめ片２４２を上方へ回動させて支柱片２００と同一面な状態にする。同様に、係合切欠き部２４４ａを係合保持部１４４ａとの係合状態を解除して下部係合つめ片２４４を上方へ回動させて支柱片２００と同一面な状態にする。
【００５３】
このとき、上部ホック２５２は半円状切欠き部１５２内に位置する。また、下部ホック２５４は半円状切欠き部１５４内に位置する。
【００５４】
次に、係合片１３２，１３４，１３６，１３８と係合片受け部２３２，２３４，２３６，２３８を係合状態に保持したまま、支柱片１００と支柱片２００を重ね合わせる。例えば、支柱片１００を水平方向に４５°回動させて支柱片２００当接状態にする。
【００５５】
この後、折り曲げ部１６０，２６０を介して支柱片１００，２００の上部側半分を下部側半分の方向へ回動させて（図６中、矢印Ａ方向）、下部ホック２５４を上部ホック２５２に嵌め込み係合させると、二つ折りの折り畳み状態が完成する（図７参照）。これにより、コンパクトになり、持運びに便利でスペースも要さず収納・保管が容易となるものである。
ここで、支柱片１００，２００同士はクロス状態にあるため、内側（図６中、矢印Ａ側）に位置するガイド線の数が同数（即ち３本）となる。また、外側に位置するガイド線の線数も同数（即ち４本）となり、折り曲げに際して発生する支柱片１００，２００の反発力を抑制しつつ、円滑な折り曲げを実現できるものである。
【００５６】
組立てられたかつらスタンド１０を分解する場合は、先ず、係合切欠き部２４２ａを係合保持部１４２ａとの係合状態を解除して上部係合つめ片２４２を上方へ回動させて支柱片２００と同一な水平状態にする。同様に、係合切欠き部２４４ａを係合保持部１４４ａとの係合状態を解除して下部係合つめ片２４４を上方へ回動させて支柱片２００と同一な水平状態にする。
【００５７】
次に、係合片１３２，１３４，１３６，１３８と係合片受け部２３２，２３４，２３６，２３８との係合状態を解除する。即ち、係合片１３２，１３４，１３６，１３８を係合片受け部２３２，２３４，２３６，２３８から引き抜く。
【００５８】
而して切欠き部２２２を切込み部１２０の上端部１２０ａから外すともに、切欠き部２２４を切込み部１２０の下端部１２０ｂから外して、支柱片２００を支柱片１００から取外せば分解状態となる。
【００５９】
上記実施形態によれば、極めてシンプルな構造で組立てが可能で且つ強固で安定した組立て状態を保持でき、また分解及び折畳みが容易に可能で耐久性に優れるとともに、携帯性及び保管性に優れるかつらスタンド１０を提供することができるものである。
【００６０】
また、かつらスタンド１０の上部形状により、かつらの形態を崩さずに安定してかつらを載置できるとともに、その形状から通気性にも優れ、取扱性及び衛生面での向上を図れるものである。
【００６１】
さらに、シンプルな構造の２枚の折り曲げ可能な支柱片１００，２００から成るので、安価に生産することが可能なかつらスタンドを提供できるという経済的且つ実用的効果を奏する。
【００６２】
（第２の実施形態）
続いて本考案の第２の実施形態について、図８乃至図１４を参照して説明する。第１の実施形態と同一部分及び／または同一機能については、同一番号・同一記号を付して説明する。
【００６３】
第２の実施形態に係わるかつらスタンド１０は、例えば厚さ１．０ｍｍ程度の反発性を有し折り曲げると強度が増す性質を有するポリプロピレン（ＰＰ）製の高さＨ（底辺部１００ｄ，２００ｄから垂直方向へ最上端部までの高さ）の２枚の支柱片１００，２００同士をクロスさせるように組合せることにより、組立てられるものである。本実施形態では、支柱片１００，２００の厚さを１．０ｍｍ程度にしてあるが、これに限定されることなく厚さを０．６ｍｍ、０．８ｍｍ或いは１．２ｍｍ程度といったように適宜変更してもよいことは勿論である。
【００６４】
支柱片１００は中心線Ａ−Ａに対して線対称の形状であり、その上部１００aは緩やかな湾曲状（略半円形状または半楕円状）に形成され、中央部１００ｂの近傍は他の部位に比べて幅が狭くくびれ状に形成され、下部１００ｃには外方へ指向する脚片部１１０，１１０が形成されている。また、支柱片１００の中央部位（図８中、中心線Ａ−Ａ上）の上部近傍から下部近傍にかけては、上端部１２０ａ及び下端部１２０ｂを有する切込み部１２０が形成されている。
【００６５】
而して切込み部１２０には、係合片１３２，１３４，１３６，１３８が設けられている。図１中、中心線Ａ−Ａに関し、係合片１３２は右方向へ指向するように、係合片１３４は左方向へ指向するように、係合片１３６は右方向へ指向するように、そして係合片１３８は左方向へ指向するように設けられている。
【００６６】
また、切込み部１２０には、その上部側に上部係合つめ片受け部１４２と上部係合小つめ片受け部（係合つめ片受け部）１４３が設けられており、その下部側に下部係合つめ片受け部（係合つめ片受け部）１４５と下部係合小つめ片受け部（係合つめ片受け部）１４６が設けられている。
【００６７】
ここで、上部係合つめ片受け部１４２は、中心線Ａ−Ａ（図８参照）に対して左方向に略１／４円形状を呈するよう形成されおり、また係合保持部１４２ａを設けている。上部係合小つめ片受け部１４３は、上部係合つめ片受け部１４２の下側反対方向に中心線Ａ−Ａ（図８参照）に対して右方向に略１／４円形状を呈するよう形成されおり、また係合保持部（切欠き受け部）１４３ａを設けている。
【００６８】
他方、下部係合つめ片受け部１４５は、中心線Ａ−Ａ（図８参照）に対して左方向に略１／４円形状を呈するよう形成されおり、また係合保持部（切欠き受け部）１４５ａを設けている。下部係合小つめ片受け部１４６は、下部係合つめ片受け部１４５の下側反対方向に中心線Ａ−Ａ（図８参照）に対して右方向に略１／４円形状を呈するよう形成されおり、また係合保持部（切欠き受け部）１４６ａを設けている。
【００６９】
さらに、切込み部１２０には、略円形状の円形状切欠き部１５６が形成されている。円形状切欠き部１５６は、中央部１００ｂの中心近傍に穿設された二つの半円から成るよう形成されており、後述する支柱片１００の折り畳み時に発生する反発力を軽減するよう機能するものである。
【００７０】
ところで、支柱片１００の中央部１００ｂには、即ち支柱片１００の底辺部１００ｄから上方へ１／２Ｈの位置には、支柱片１００を二つ折り可能となるよう折り曲げ部１６０が水平方向に設けられている。折り曲げ部１６０は、円形状切欠き部１５６を中央に配すよう設けられており、支柱片１００の図１中左側に位置する３本の折り曲げガイド線（折り線）を有する左側折り曲げ部１６２と、図１中右側に位置する４本の折り曲げガイド線（折り線）を有する右側折り曲げ部１６４から構成されている。
ここで、円滑な折り曲げを可能とするために、折り曲げガイド線の数については、一方のガイド線の数をｎ（自然数）とすると、他方のガイド線の数はｎ以上とすることが好ましい。
より好ましくは、一方のガイド線の数をｎとし、他方のガイド線の数はｎ＋１以上とすると、さらに円滑な折り曲げが可能となるものである。
また、ガイド線の数を両方とも等しくｎにした場合、例えば一方の線の間隔を他方の線の間隔より広くとることにより、円滑な折り曲げが可能となるものである。
【００７１】
さて、上部係合小つめ片受け部１４３の上方近傍（図８中、中心線Ａ−Ａの右側）にはホック機構（保持機構部）を形成する上部ホック１７２が設けられている。また、下部係合小つめ片受け部１４６の側方近傍にはホック機構（保持機構部）を形成する下部ホック１７４が設けられている。而して、上部ホック１７２と下部ホック１７４は、その表面部及び裏面部が略同じ大きさとなるよう構成されており、支柱片１００を二つ折りにして折り畳むと、嵌め込まれて係合するよう構成されている。
【００７２】
他方の支柱片２００はその外周形状及び大きさは支柱片１００と略同じであり、中心線Ｂ−Ｂに対して線対称の形状で、その上部２００aは緩やかな湾曲状（略半円形状または半楕円状）に形成され、中央部２００ｂの近傍は他の部位に比べて幅が狭くくびれ状に形成され、下部２００ｃには外方へ指向する脚片部２１０，２１０が形成されている。ここで、支柱片２００の中央部位（図８中、中心線Ｂ−Ｂ上）の上部には、下方へ指向するよう下端部２２２ａを有する切欠き部２２２が形成されている。また、支柱片２００の中央部位（図８中、中心線Ｂ−Ｂ上）の下部には、上方へ指向するよう上端部２２４ａを有する切欠き部２２４が形成されている。
【００７３】
而して支柱片２００の中心線Ｂ−Ｂ上には、係合片受け部２３２，２３４，２３６，２３８が形成されている。即ち、係合片１３２が着脱自在に挿し込み可能な係合片受け部２３２が形成され、係合片１３４が着脱自在に挿し込み可能な係合片受け部２３４が形成され、係合片１３６が着脱自在に挿し込み可能な係合片受け部２３６が形成され、そして係合片１３８が着脱自在に挿し込み可能な係合片受け部２３８が形成されている。
【００７４】
また、支柱片２００の中心線Ｂ−Ｂ上には、上部係合つめ片受け部１４２及び上部係合小つめ片受け部１４３に嵌め込まれて係合する大小２種の大きさからなる上部係合つめ片（係合つめ片）２４６が形成されている。即ち、上部係合つめ片２４６は、半円状の上部係合大つめ片２４６ａと半円状の上部係合小つめ片２４６ｂとから構成されている。
【００７５】
上部係合大つめ片２４６ａは、その外周縁部に係合切欠き部２４６ｃが形成されており、かつらスタンド１０の組立て完成時、上部係合つめ片受け部１４２の周縁部に対して係合切欠き部（切欠き部）２４６ｃを摺動するようにして水平状態にすると、係合保持部１４２ａに係合して保持状態となるよう構成されている。
【００７６】
上部係合小つめ片２４６ｂは、上部係合大つめ片２４６ａの反対側に一体的に形成されており、その外周縁部に係合切欠き部（切欠き部）２４６ｄが形成されている。かつらスタンド１０の組立て完成時、上部係合小つめ片受け部１４３の周縁部に対して係合切欠き部２４６ｄを摺動するようにして水平状態にすると、係合保持部１４３ａに係合して保持状態となるよう構成されている。
【００７７】
さらに、支柱片２００の中心線Ｂ−Ｂ上には、下部係合つめ片受け部１４５及び下部係合小つめ片受け部１４６に嵌め込まれて係合する大小２種の大きさからなる下部係合つめ片（係合つめ片）２４８が形成されている。即ち、下部係合つめ片２４８は、半円状の下部係合大つめ片２４８ａと半円状の下部係合小つめ片２４８ｂとから構成されている。
【００７８】
下部係合大つめ片２４８ａは、その外周縁部に係合切欠き部（切欠き部）２４８ｃが形成されており、かつらスタンド１０の組立て完成時、下部係合つめ片受け部１４５の周縁部に対して係合切欠き部２４８ｃを摺動するようにして水平状態にすると、係合保持部１４５ａに係合して保持状態となるよう構成されている。
【００７９】
下部係合小つめ片２４８ｂは、下部係合大つめ片２４８ａの反対側に一体的に形成されており、その外周縁部に係合切欠き部（切欠き部）２４８ｄが形成されている。かつらスタンド１０の組立て完成時、下部係合小つめ片受け部１４６の周縁部に対して係合切欠き部２４８ｄを摺動するようにして水平状態にすると、係合保持部１４６ａに係合して保持状態となるよう構成されている。
【００８０】
また、支柱片２００の中心線Ｂ−Ｂ上の中央部位には、円形状切欠き部２５６が形成されている。即ち、円形状切欠き部２５６は、中央部２００ｂの中心近傍に穿設された二つの半円から成るよう形成されており、支柱片１００の円形状切欠き部１５６と略同じ高さに位置するものである。また、円形状切欠き部２５６は、後述する支柱片２００の折り畳み時に発生する反発力を軽減するよう機能するものである。
【００８１】
ところで、支柱片２００の中央部２００ｂには、即ち支柱片２００の底辺部２００ｄから上方へ１／２Ｈの位置には、支柱片２００を二つ折り可能となるよう折り曲げ部２６０が水平方向に設けられている。折り曲げ部２６０は、円形状切欠き部２５６を中央に配すよう設けられており、支柱片２００の図８中右側に位置する３本の折り曲げガイド線（折り線）を有する右側折り曲げ部２６２と、図８中左側に位置する４本の折り曲げガイド線（折り線）を有する左側折り曲げ部２６４から構成されている。
ここで、円滑な折り曲げを可能とするために、折り曲げガイド線の数については、一方のガイド線の数をｎ（自然数）とすると、他方のガイド線の数はｎ以上とすることが好ましい。
より好ましくは、一方のガイド線の数をｎとし、他方のガイド線の数はｎ＋１以上とすると、さらに円滑な折り曲げが可能となるものである。
また、ガイド線の数を両方とも等しくｎにした場合、例えば一方の線の間隔を他方の線の間隔より広くとることにより、円滑な折り曲げが可能となるものである。
【００８２】
さらに、支柱片２００の上部係合つめ片２４６の側方近傍（図８中、中心線Ｂ−Ｂの右側）には、円形状の貫通孔部２７２が形成されている。貫通孔部２７２は、その中心部が上部ホック１７２の中心部と同じ高さに位置し、上部ホック１７２及び下部ホック１７４が内側に収容できるくらいの面積を有するよう構成されている。
【００８３】
また、支柱片２００の下部係合つめ片２４８の側方近傍（図８中、中心線Ｂ−Ｂの右側）には、円形状の貫通孔部２７４が形成されている。貫通孔部２７４は、その中心部が下部ホック１７４の中心部と同じ高さに位置し、上部ホック１７２及び下部ホック１７４が内側に収容できるくらいの面積を有するよう構成されている。
【００８４】
上記構成につき、その作用を以下に説明する。
【００８５】
かつらスタンド１０の組立ては、先ず、支柱片２００を支柱片１００の切込み部１２０に対してクロスするように挿入し、切欠き部２２２の下端部２２２ａを切込み部１２０の上端部１２０ａに、切欠き部２２４の上端部２２４ａを切込み部１２０の下端部１２０ｂに当接させるよう嵌め込むようにして係合させる。
【００８６】
次に、係合片１３２を係合片受け部２３２に、係合片１３４を係合片受け部２３４に、係合片１３６を係合片受け部２３６に、そして係合片１３８を係合片受け部２３８に挿し込み係合させる。
【００８７】
続いて、係合切欠き部２４６ｃを係合つめ片受け部１４２の周縁部に対して摺動するようにして上部係合大つめ片２４６ａを水平状態にして係合切欠き部２４６ｃを係合保持部１４２ａに係合させるとともに、係合切欠き部２４６ｄを係合小つめ片受け部１４３の周縁部に対して摺動するようにして上部係合小つめ片２４６ｂを水平状態にして係合切欠き部２４６ｄを係合保持部１４３ａに係合させると、上部係合つめ片２４６が水平に保持状態となる。また、係合切欠き部２４８ｃを係合つめ片受け部１４５の周縁部に対して摺動するようにして下部係合大つめ片２４８ａを水平状態にして係合切欠き部２４８ｃを係合保持部１４５ａに係合させるとともに、係合切欠き部２４８ｄを係合小つめ片受け部１４６の周縁部に対して摺動するようにして下部係合小つめ片２４８ｂを水平状態にして係合切欠き部２４８ｄを係合保持部１４６ａに係合させると、下部係合つめ片２４８が水平に保持状態となる。
【００８８】
斯様にして上部がかつら受け部１０ａで、下部が脚部１０ｂとなるかつらスタンド１０が組立てられることになる。かつらスタンド１０は、係合片１３２，１３４，１３６，１３８と係合片受け部２３２，２３４，２３６，２３８との係合状態に加えて、上部係合大つめ片２４６ａと上部係合つめ片受け部１４２、上部係合小つめ片２４６ｂと上部係合小つめ片受け部１４３、下部係合大つめ片２４８ａと下部係合つめ片受け部１４５及び下部係合小つめ片２４８ｂと下部係合小つめ片受け部１４６とが係合して保持状態にあるので、強固で安定した状態を確保できるよう機能するものである。
【００８９】
組立てられたかつらスタンド１０を折り畳んで二つ折りにするためには、先ず、係合切欠き部２４６ｃを係合保持部１４２ａとの係合状態を解除するとともに、係合切欠き部２４６ｄを係合保持部１４３ａとの係合状態を解除して上部係合つめ片２４６を回動させて支柱片２００と同一面な状態にする。同様に、係合切欠き部２４８ｃを係合保持部１４５ａとの係合状態を解除するとともに、係合切欠き部２４８ｄを係合保持部１４６ａとの係合状態を解除して下部係合つめ片２４８を回動させて支柱片２００と同一面な状態にする。
【００９０】
次に、係合片１３２，１３４，１３６，１３８と係合片受け部２３２，２３４，２３６，２３８を係合状態に保持したまま、支柱片１００と支柱片２００を重ね合わせる。例えば、支柱片１００を水平方向に４５°回動させて支柱片２００当接状態にする。
【００９１】
このとき、上部ホック１７２は貫通孔部２７２内に位置する。また、下部ホック１７４は貫通孔部２７４内に位置する。
【００９２】
この後、折り曲げ部１６０，２６０を介して支柱片１００，２００の上部側半分を下部側半分の方向へ回動させて（図１３中、矢印Ａ方向）、下部ホック１７４を上部ホック１７２に嵌め込み係合させると、二つ折りの折畳みが完成する（図１４参照）。これにより、コンパクトになり、持運びに便利でスペースも要さず収納・保管が容易となるものである。
ここで、支柱片１００，２００同士はクロス状態にあるため、内側（図１３中、矢印Ａ側）に位置するガイド線の数が同数（即ち３本）となる。また、外側に位置するガイド線の線数も同数（即ち４本）となり、折り曲げに際して発生する支柱片１００，２００の反発力を抑制しつつ、円滑な折り曲げを実現できるものである。
【００９３】
組立てられたかつらスタンド１０を分解する場合は、先ず、係合切欠き部２４６ｃを係合保持部１４２ａとの係合状態を解除するとともに、係合切欠き部２４６ｄを係合保持部１４３ａとの係合状態を解除して上部係合つめ片２４６を回動させて支柱片２００と同一面な状態にする。同様に、係合切欠き部２４８ｃを係合保持部１４５ａとの係合状態を解除するとともに、係合切欠き部２４８ｄを係合保持部１４６ａとの係合状態を解除して下部係合つめ片２４８を回動させて支柱片２００と同一面な状態にする。
【００９４】
次に、係合片１３２，１３４，１３６，１３８と係合片受け部２３２，２３４，２３６，２３８との係合状態を解除する。即ち、係合片１３２，１３４，１３６，１３８を係合片受け部２３２，２３４，２３６，２３８から引き抜く。
【００９５】
而して切欠き部２２２を切込み部１２０の上端部１２０ａから外すともに、切欠き部２２４を切込み部１２０の下端部１２０ｂから外して、支柱片２００を支柱片１００から取外せば分解状態となる。
【００９６】
上記実施形態によれば、極めてシンプルな構造で組立てが可能で且つ強固で安定した組立て状態を確保でき、また分解及び折り畳みが容易に可能で耐久性に優れるとともに、携帯性及び保管性に優れるかつらスタンド１０を提供することができるものである。
【００９７】
また、かつらスタンド１０の上部形状により、かつらの形態を崩さずに安定してかつらを載置できるとともに、その形状から通気性にも優れ、取扱性及び衛生面での向上を図れるものである。
【００９８】
さらに、シンプルな構造の２枚の折り曲げ可能な支柱片１００，２００から成るので、安価に生産することが可能なかつらスタンドを提供できるという経済的且つ実用的効果を奏する。
【００９９】
（第３の実施形態）
続いて本考案の第３の実施形態について、図１５乃至図２１を参照して説明する。第１及び第２の実施形態と同一部分及び／または同一機能については、同一番号・同一記号を付して説明する。
【０１００】
第３の実施形態に係わるかつらスタンド１０は、例えば厚さ１．０ｍｍ程度の反発性を有し折り曲げると強度が増す性質を有するポリプロピレン（ＰＰ）製の高さＨ（底辺部１００ｄ，２００ｄから垂直方向へ最上端部までの高さ）の２枚の支柱片１００，２００同士をクロスさせるように組合せることにより、組立てられるものである。本実施形態では、支柱片１００，２００の厚さを１．０ｍｍ程度にしてあるが、これに限定されることなく厚さを０．６ｍｍ、０．８ｍｍ或いは１．２ｍｍ程度といったように適宜変更してもよいことは勿論である。
【０１０１】
支柱片１００は中心線Ａ−Ａに対して線対称の形状であり、その上部１００aは緩やかな湾曲状（略半円形状または半楕円状）に形成され、中央部１００ｂの近傍は他の部位に比べて幅が狭くくびれ状に形成され、下部１００ｃには外方へ指向する脚片部１１０，１１０が形成されている。また、支柱片１００の中央部位（図１５中、中心線Ａ−Ａ上）の上部近傍から下部近傍にかけては、上端部１２０ａ及び下端部１２０ｂを有する切込み部１２０が形成されている。
【０１０２】
而して切込み部１２０には、係合片１３２，１３４，１３６，１３７，１３８，１３９が設けられている。図１５中、中心線Ａ−Ａに関し、係合片１３２は右方向へ指向するように、係合片１３４は左方向へ指向するように、係合片１３６は右方向へ指向するように、係合片１３７は左方向へ指向するように、係合片１３８右方向へ指向するように、そして係合片１３９は左方向へ指向するように設けられている。
【０１０３】
また、切込み部１２０には、その上部側に上部係合つめ片受け部１４２が設けられており、その下部側に下部係合つめ片受け部１４４が設けられている。ここで、上部係合つめ片受け部１４２は、中心線Ａ−Ａ（図１５参照）に対して左方向に略１／４円形状を呈するよう形成されおり、また係合保持部１４２ａを設けている。他方、下部係合つめ片受け部１４４は、中心線Ａ−Ａ（図１５参照）に対して右方向に略１／４円形状を呈するよう形成されおり、また係合保持部１４４ａを設けている。
【０１０４】
さらに、切込み部１２０には、略円形状の円形状切欠き部１５８，１５９が形成されている。即ち、円形状切欠き部１５８は、底辺部１００ｄから垂直方向へ高さ２／３Ｈの位置に穿設された二つの半円から成るよう形成されている。他方、円形状切欠き部１５９は、底辺部１００ｄから垂直方向へ高さ１／３Ｈの位置に穿設された二つの半円から成るよう形成されている。これら円形状切欠き部１５８，１５９は、支柱片１００の折り畳み時に発生する反発力を軽減するよう機能するものである。
【０１０５】
ところで、支柱片１００の上部１００ａと中央部１００ｂの境目付近には、即ち底辺部１００ｄから垂直方向へ高さ２／３Ｈの位置には、支柱片１００を三つ折り可能となるよう上部折り曲げ部（折り曲げ部）１８０が設けられている。また、支柱片１００の下部１００ｃと中央部１００ｂの境目付近には、即ち底辺部１００ｄから垂直方向へ高さ１／３Ｈの位置には、支柱片１００を三つ折り可能となるよう下部折り曲げ部（折り曲げ部）１９０が設けられている。
【０１０６】
上部折り曲げ部１８０は、円形状切欠き部１５８を中央に配すよう設けられており、支柱片１００の図１５中左側に位置する４本の折り曲げガイド線（折り線）を有する左側折り曲げ部１８２と、図１５中右側に位置する３本の折り曲げガイド線（折り線）を有する右側折り曲げ部１８４から構成されている。
ここで、円滑な折り曲げを可能とするために、折り曲げガイド線の数については、一方のガイド線の数をｎ（自然数）とすると、他方のガイド線の数はｎ以上とすることが好ましい。
より好ましくは、一方のガイド線の数をｎとし、他方のガイド線の数はｎ＋１以上とすると、さらに円滑な折り曲げが可能となるものである。
また、ガイド線の数を両方とも等しくｎにした場合、例えば一方の線の間隔を他方の線の間隔より広くとることにより、円滑な折り曲げが可能となるものである。
【０１０７】
下部折り曲げ部１９０は、円形状切欠き部１５９を中央に配すよう設けられており、支柱片１００の図１５中左側に位置する３本の折り曲げガイド線（折り線）を有する左側折り曲げ部１９２と、図１５中右側に位置する４本の折り曲げガイド線（折り線）を有する右側折り曲げ部１９４から構成されている。
ここで、円滑な折り曲げを可能とするために、折り曲げガイド線の数については、一方のガイド線の数をｎ（自然数）とすると、他方のガイド線の数はｎ以上とすることが好ましい。
より好ましくは、一方のガイド線の数をｎとし、他方のガイド線の数はｎ＋１以上とすると、さらに円滑な折り曲げが可能となるものである。
また、ガイド線の数を両方とも等しくｎにした場合、例えば一方の線の間隔を他方の線の間隔より広くとることにより、円滑な折り曲げが可能となるものである。
【０１０８】
さらに、支柱片１００の上部係合つめ片受け部１４４の側方近傍（図１５中、中心線Ａ−Ａの右側）には、円形状の貫通孔部１７６が形成されている。貫通孔部１７６は、その中心部が後述する支柱片２００の上部ホック２７６の中心部と同じ高さに位置し、上部ホック２７６及び後述する下部ホック１７８が内側に収容できるくらいの面積を有するよう構成されている。
【０１０９】
さらに、支柱片１００の中央部１００ａ（図１５中、中心線Ａ−Ａの右側）には、円形状の貫通孔部１７８が形成されている。貫通孔部１７８は貫通孔部１７６と同一の大きさであり、支柱片１００を三つ折りに折り畳むと円状切欠き部１７６と重なり内側に後述する上部ホック２７６及び下部ホック１７８を収容できるよう構成されている。
【０１１０】
なお、下部係合つめ片受け部１４４の上方近傍（図１５中、中心線Ａ−Ａの右側）にはホック機構（保持機構部）を形成する下部ホック１７８が設けられている。下部ホック１７８は、後述する支柱片２００に設けられた後述の上部ホック２７６と着脱自在に嵌め込まれて係合可能なるよう構成されている。
【０１１１】
他方の支柱片２００はその外周形状及び大きさは支柱片１００と略同じであり、中心線Ｂ−Ｂに対して線対称の形状で、その上部２００aは緩やかな湾曲状（略半円形状または半楕円状）に形成され、中央部２００ｂの近傍は他の部位に比べて幅が狭くくびれ状に形成され、下部２００ｃには外方へ指向する脚片部２１０，２１０が形成されている。ここで、支柱片２００の中央部位（図１中、中心線Ｂ−Ｂ上）の上部には、下方へ指向するよう下端部２２２ａを有する切欠き部２２２が形成されている。また、支柱片２００の中央部位（図１５中、中心線Ｂ−Ｂ上）の下部には、上方へ指向するよう上端部２２４ａを有する切欠き部２２４が形成されている。
【０１１２】
而して支柱片２００の中心線Ｂ−Ｂ上には、係合片受け部２３２，２３４，２３６，２３７，２３８，２３９が形成されている。即ち、係合片１３２が着脱自在に挿し込み可能な係合片受け部２３２が形成され、係合片１３４が着脱自在に挿し込み可能な係合片受け部２３４が形成され、係合片１３６が着脱自在に挿し込み可能な係合片受け部２３６が形成され、係合片１３７が着脱自在に挿し込み可能な係合片受け部２３７が形成され、係合片１３８が着脱自在に挿し込み可能な係合片受け部２３８が形成され、そして係合片１３９が着脱自在に挿し込み可能な係合片受け部２３９が形成されている。
【０１１３】
また、支柱片２００の中心線Ｂ−Ｂ上には、上部係合つめ片受け部１４２に着脱自在に嵌め込まれて係合する半円状の上部係合つめ片（係合つめ片）２４２が形成されている。上部係合つめ片２４２は、その外周縁部に係合切欠き部２４２ａが形成されるとともに、その下端部２４２ｂを基線に垂直方向に回動自在となるよう構成されている。そして、かつらスタンド１０の組立て完成時、上部係合つめ片受け部１４２の周縁部に対して係合切欠き部２４２ａを摺動するようにして水平状態にすると、係合保持部１４２ａに係合して保持状態となるよう構成されている。
【０１１４】
さらに、支柱片２００の中心線Ｂ−Ｂ上には、下部係合つめ片受け部１４４に着脱自在に嵌め込まれて係合する半円状の下部係合つめ片（係合つめ片）２４４が形成されている。下部係合つめ片２４４は、その外周縁部に係合切欠き部２４４ａが形成されるとともに、その下端部２４４ｂを基線に垂直方向に回動自在となるよう構成されている。そして、かつらスタンド１０組立て完成時、下部係合つめ片受け部１４４の周縁部に対して係合切欠き部２４４ａを摺動するようにして水平状態にすると、係合保持部１４４ａに係合して保持状態となるよう構成されている。
【０１１５】
さらに、支柱片２００の中心線Ｂ−Ｂ上には、略円形状の円形状切欠き部２５８，２５９が形成されている。即ち、円形状切欠き部２５８は、底辺部２００ｄから垂直方向へ高さ２／３Ｈの位置に穿設された二つの半円から成るよう形成されている。他方、円形状切欠き部２５９は、底辺部１００ｄから垂直方向へ高さ１／３Ｈの位置に穿設された二つの半円から成るよう形成されている。これら円形状切欠き部２５８，２５９は、支柱片２００の折り畳み時に発生する反発力を軽減するよう機能するものである。
【０１１６】
さらに、支柱片２００の中央部２００ａ（図１５中、中心線Ｂ−Ｂの右側）には、円形状の貫通孔部２６２が形成されている。貫通孔部２６２は、その中心部が支柱片１００の貫通孔部１７８の中心部と同じ高さに位置し、下部ホック１７８及び後述する上部ホック２７６が内側に収容できるくらいの面積を有するよう構成されている。
【０１１７】
さらに、支柱片１００の下部係合つめ片２４４の側方近傍（図１５中、中心線Ｂ−Ｂの右側）には、円形状の貫通孔部２６４が形成されている。貫通孔部２６４は、貫通孔部２６２と同一の大きさであり、その中心部が支柱片１００の下部ホック１７８の中心部と同じ高さに位置し、支柱片１００を三つ折りに折り畳むと円状切欠き部１７６と重なり内側に後述する上部ホック２７６及び下部ホック１７８を収容できるよう構成されている。
【０１１８】
なお、上部係合つめ片２４２の上方近傍（図１５中、中心線Ａ−Ａの右側）にはホック機構（保持機構部）を形成する上部ホック２７６が設けられている。上部ホック２７６は、支柱片１００に設けられた下部ホック１７８と着脱自在に嵌め込まれて係合可能なるよう構成されている。
【０１１９】
ところで、支柱片２００の上部２００ａと中央部２００ｂの境目付近には、即ち底辺部２００ｄから垂直方向へ高さ２／３Ｈの位置には、支柱片２００を三つ折り可能となるよう上部折り曲げ部（折り曲げ部）２８０が水平方向に設けられている。また、支柱片２００の下部２００ｃと中央部２００ｂの境目付近には、即ち底辺部２００ｄから垂直方向へ高さ１／３Ｈの位置には、支柱片２００を三つ折り可能となるよう下部折り曲げ部（折り曲げ部）２９０が水平方向に設けられている。
【０１２０】
上部折り曲げ部２８０は、円形状切欠き部２５８を中央に配すよう設けられており、支柱片２００の図１５中右側に位置する４本の折り曲げガイド線（折り線）を有する右側折り曲げ部２８２と、図１５中左側に位置する３本の折り曲げガイド線（折り線）を有する右側折り曲げ部２８４から構成されている。
ここで、円滑な折り曲げを可能とするために、折り曲げガイド線の数については、一方のガイド線の数をｎ（自然数）とすると、他方のガイド線の数はｎ以上とすることが好ましい。
より好ましくは、一方のガイド線の数をｎとし、他方のガイド線の数はｎ＋１以上とすると、さらに円滑な折り曲げが可能となるものである。
また、ガイド線の数を両方とも等しくｎにした場合、例えば一方の線の間隔を他方の線の間隔より広くとることにより、円滑な折り曲げが可能となるものである。
【０１２１】
下部折り曲げ部２９０は、円形状切欠き部２５９を中央に配すよう設けられており、支柱片２００の図１５中左側に位置する４本の折り曲げガイド線（折り線）を有する左側折り曲げ部２９２と、図１５中右側に位置する３本の折り曲げガイド線（折り線）を有する右側折り曲げ部２９４から構成されている。
ここで、円滑な折り曲げを可能とするために、折り曲げガイド線の数については、一方のガイド線の数をｎ（自然数）とすると、他方のガイド線の数はｎ以上とすることが好ましい。
より好ましくは、一方のガイド線の数をｎとし、他方のガイド線の数はｎ＋１以上とすると、さらに円滑な折り曲げが可能となるものである。
また、ガイド線の数を両方とも等しくｎにした場合、例えば一方の線の間隔を他方の線の間隔より広くとることにより、円滑な折り曲げが可能となるものである。
【０１２２】
上記構成につき、その作用を以下に説明する。
【０１２３】
かつらスタンド１０の組立ては、先ず、支柱片２００を支柱片１００の切込み部１２０に対してクロスするように挿入し、切欠き部２２２の下端部２２２ａを切込み部１２０の上端部１２０ａに、切欠き部２２４の上端部２２４ａを切込み部１２０の下端部１２０ｂに当接させるよう嵌め込むようにして係合させる。
【０１２４】
次に、係合片１３２を係合片受け部２３２に、係合片１３４を係合片受け部２３４に、係合片１３６を係合片受け部２３６に、係合片１３７を係合片受け部２３７に、係合片１３８を係合片受け部２３８に、そして係合片１３９を係合片受け部２３９に挿し込み係合させる。
【０１２５】
続いて、係合切欠き部２４２ａを係合つめ片受け部１４２の周縁部に対して摺動するようにして上部係合つめ片２４２を水平状態にして係合切欠き部２４２ａを係合保持部１４２ａに係合させると、水平に保持状態となる。また、係合切欠き部２４４ａを係合つめ片受け部１４４の周縁部に対して摺動するようにして下部係合つめ片２４４を水平状態にして係合切欠き部２４４ａを係合保持部１４４ａに係合させると、水平に保持状態となる。
【０１２６】
斯様にして上部がかつら受け部１０ａで、下部が脚部１０ｂとなるかつらスタンド１０が組立てられることになる。かつらスタンド１０は、係合片１３２，１３４，１３６，１３７，１３８，１３９と係合片受け部２３２，２３４，２３６，２３７，２３８，２３９との係合状態に加えて、上部係合つめ片２４２と上部係合つめ片受け部１４２及び下部係合つめ片２４４と下部係合つめ片受け部１４４とが係合して保持状態にあるので、従来の組み立て式のかつらスタンドに比べてより強固に安定した状態を保持できるよう機能するものである。
【０１２７】
組立てられたかつらスタンド１０を折り畳んで三つ折りにするためには、先ず、係合切欠き部２４２ａを係合保持部１４２ａとの係合状態を解除して上部係合つめ片２４２を上方へ回動させて支柱片２００と同一面な状態にする。同様に、係合切欠き部２４４ａを係合保持部１４４ａとの係合状態を解除して下部係合つめ片２４４を上方へ回動させて支柱片２００と同一面な状態にする。
【０１２８】
次に、係合片１３２，１３４，１３６，１３７，１３８，１３９と係合片受け部２３２，２３４，２３６，２３７，２３８，２３９を係合状態に保持したまま、支柱片１００と支柱片２００を重ね合わせる。例えば、支柱片１００を水平方向に４５°回動させて支柱片２００当接状態にする。
【０１２９】
この後、上部折り曲げ部１８０，２８０を介して支柱片１００，２００の上部１００ａ，２００ａ側の１／３を中央部１００ｂ，２００ｂ側１／３の方向へ回動させるとともに（図２０中、矢印Ｂ方向）、下部折り曲げ部１９０，２９０を介して支柱片１００，２００の中央部１００ｂ，２００ｂ側の１／３を下部１００ｃ，２００ｃ側の１／３の方向へ回動させて（図２０中、矢印Ｃ方向）、上部ホック２７６を下部ホック１７８に嵌め込み係合させると、三つ折りの折り畳み状態が完成する（図２１参照）。これにより、二つ折りよりさらにコンパクトになり、持運びに便利でスペースも要さず収納・保管が容易となるものである。
ここで、支柱片１００，２００同士はクロス状態にあるため、内側（図２０中、矢印Ｃ側）に位置するガイド線の数が同数（即ち上部側は４本、下部側は３本）となる。また、外側に位置するガイド線の線数も同数（即ち上部側は３本、下部側は４本）となり、折り曲げに際して発生する支柱片１００，２００の反発力を抑制しつつ、円滑な折り曲げを実現できるものである。
【０１３０】
組立てられたかつらスタンド１０を分解する場合は、先ず、係合切欠き部２４２ａを係合保持部１４２ａとの係合状態を解除して上部係合つめ片２４２を上方へ回動させて支柱片２００と同一な水平状態にする。同様に、係合切欠き部２４４ａを係合保持部１４４ａとの係合状態を解除して下部係合つめ片２４４を上方へ回動させて支柱片２００と同一な水平状態にする。
【０１３１】
次に、係合片１３２，１３４，１３６，１３７，１３８，１３９と係合片受け部２３２，２３４，２３６，２３７，２３８，２３９との係合状態を解除する。即ち、係合片１３２，１３４，１３６，１３７，１３８，１３９を係合片受け部２３２，２３４，２３６，２３７，２３８，２３９から引き抜く。
【０１３２】
而して切欠き部２２２を切込み部１２０の上端部１２０ａから外すともに、切欠き部２２４を切込み部１２０の下端部１２０ｂから外して、支柱片２００を支柱片１００から取外せば分解状態となる。
【０１３３】
上記実施形態によれば、極めてシンプルな構造で組立てが可能で且つ強固で安定した組立て状態を保持でき、また分解及び折り畳みが容易に可能で耐久性に優れるとともに、携帯性及び保管性に優れるかつらスタンド１０を提供することができるものである。
【０１３４】
また、かつらスタンド１０の上部形状により、かつらの形態を崩さずに安定してかつらを載置できるとともに、その形状から通気性にも優れ、取扱性及び衛生面での向上を図れるものである。
【０１３５】
さらに、シンプルな構造の２枚の折り曲げ可能な支柱片１００，２００から成るので、安価に生産することが可能なかつらスタンドを提供できるという経済的且つ実用的効果を奏する。
【０１３６】
ところで、かつらスタンドの折り畳みについては、例えば一方向に向けて外周を包み込むように折り畳む方式も考えられる。しかし、このものにあっては、組立て時に折り曲げ部のスペースが広くなり不安定になる。これに対して本実施形態では、支柱片１００，２００をあたかもＺ状に折り曲げられるよう構成したので、そのような不具合は生じないものである。Ｚ状に折り曲げられるようにしたので、上部側、下部側、左側及び右側のガイド線の数を任意に変更可能となるものである。
【０１３７】
本考案は上記実施形態に限定されることなく、その趣旨を逸脱しない限り種々の変形が可能なことは勿論である。
【産業上の利用可能性】
【０１３８】
本考案のかつらスタンドは、従来に比べてシンプルな構造でコンパクトなスタンドを実現することができ、しかも、組立て分解性及び携帯性に優れ且つ製造コストを低減することができるので、かつらや帽子などの変形し易い物だけでなく、様々な対象物のスタンドとして使用することができるため、ますます市場の拡大が期待できものである。
【符号の説明】
【０１３９】
１０                            …かつらスタンド
１０ａ                          …かつら受け部
１０ｂ                          …脚部
１００                          …支柱片（第一の支柱片）
２００                          …支柱片（第二の支柱片）
１１０，２１０                  …脚片部
１２０                          …切込み部
１３２，１３４，１３６，１３８  …係合片
１３７，１３９                  …係合片
１４２                      …上部係合つめ片受け部（係合つめ片受け部）
１４３                      …上部係合小つめ片受け部（係合つめ片受け部）
１４２ａ，１４３ａ          …係合保持部（切欠き受け部）
１４４，１４５              …下部係合つめ片受け部（係合つめ片受け部）
１４４ａ，１４５ａ          …係合保持部（切欠き受け部）
１４６                      …下部係合小つめ片受け部（係合つめ片受け部）
１４６ａ                    …係合保持部（切欠き受け部）
１６０，２６０                  …折り曲げ部
１８０，１９０，２８０，２９０  …折り曲げ部
２２２，２２４                  …切欠き部
２３２，２３４，２３６，２３８  …係合片受け部
２３７，２３９                  …係合片受け部
２４２，２４６                  …上部係合つめ片（係合つめ片）
２４２ａ，２４６ａ              …係合切欠き部（切欠き部）
２４４，２４８                  …下部係合つめ片（係合つめ片）
２４４ａ                        …係合切欠き部（切欠き部）
２４６ｃ，２４６ｄ              …係合切欠き部（切欠き部）
２４８ｃ，２４８ｄ              …係合切欠き部（切欠き部）
１７２，２５２，２７６          …上部ホック（保持機構部）
１７４，１７８，２５４          …下部ホック（保持機構部）
【図１】
0003209117.tif 000003
【図２】
0003209117.tif 000004
【図３】
0003209117.tif 000005
【図４】
0003209117.tif 000006
【図５】
0003209117.tif 000007
【図６】
0003209117.tif 000008
【図７】
0003209117.tif 000009
【図８】
0003209117.tif 000010
【図９】
0003209117.tif 000011
【図１０】
0003209117.tif 000012
【図１１】
0003209117.tif 000013
【図１２】
0003209117.tif 000014
【図１３】
0003209117.tif 000015
【図１４】
0003209117.tif 000016
【図１５】
0003209117.tif 000017
【図１６】
0003209117.tif 000018
【図１７】
0003209117.tif 000019
【図１８】
0003209117.tif 000020
【図１９】
0003209117.tif 000021
【図２０】
0003209117.tif 000022
【図２１】
0003209117.tif 000023